(57)【要約】【課題】内線番号の通知及び１操作での発信を可能とする通信システムを提供する。【解決手段】通信システム１では、携帯電話１０から構内電話２０に向けて発信があった場合に、携帯電話１０からの発信ＩＤを携帯電話１０の内線番号に変換すると共に、着信ＩＤを回線割当部１０５によって割り当てられた無線モジュール群２０１の電話番号に変換する。したがって、変換された番号を用いて携帯電話網４０内の通信部４１が携帯直収ＧＷ５０側の無線モジュール群２０１に発信を行うことで、着信した構内電話２０に携帯電話１０の内線番号を通知できる。また、通信システム１では、番号変換の際、着信サブＩＤに構内電話２０の内線番号を格納するので、携帯直収ＧＷ５０側の無線モジュール群２０１に接続した後の内線番号の入力が省かれ、１操作での発信が可能となる。【選択図】図１
2010278769.tif 000002
【特許請求の範囲】
【請求項１】
内線番号が割り当てられた携帯電話と、ＰＢＸに接続される構内電話とを、携帯電話網及び前記ＰＢＸに接続された携帯直収ＧＷを介して接続する通信システムであって、
前記携帯直収ＧＷは、電話番号がそれぞれ割り当てられた複数の無線モジュール群を備え、
前記携帯電話網内の通信手段は、
前記携帯電話から前記構内電話に向けて発信があった場合に、前記複数の無線モジュール群の中から空き回線を割り当てる回線割当手段と、
前記携帯電話からの発信ＩＤを前記携帯電話の内線番号に変換すると共に、着信ＩＤを前記回線割当手段によって割り当てられた無線モジュールの電話番号に変換し、着信サブＩＤに前記構内電話の内線番号を格納する番号変換手段とを備えることを特徴とする通信システム。
【請求項２】
前記携帯直収ＧＷは、
前記構内電話から前記携帯電話に向けて発信があった場合に、前記複数の無線モジュール群の中から空き回線を割り当てる回線割当手段と、
前記構内電話からの発信ＩＤを前記回線割当手段によって割り当てられた無線モジュールの電話番号に変換すると共に、発信サブＩＤに前記構内電話の内線番号を格納する番号変換手段とを備え、
前記携帯電話網側の番号変換手段は、前記無線モジュールからの発信ＩＤを前記構内電話の内線番号に変換すると共に、着信ＩＤを前記携帯電話の電話番号に変換することを特徴とする請求項１記載の通信システム。
【請求項３】
前記無線モジュール群は、前記携帯電話網に属する複数の携帯電話によって構成されていることを特徴とする請求項１又は２記載の通信システム。
【請求項４】
前記携帯電話網内の通信手段は、前記構内電話が通話中であるか否かを示す回線情報を前記携帯直収ＧＷから受信して格納する回線情報格納手段を備えていることを特徴とする請求項１〜３のいずれか一項記載の通信システム。
【請求項５】
前記携帯直収ＧＷは、前記携帯電話が通話中であるか否かを示す回線情報を前記携帯電話網内の通信手段から受信して格納する回線情報格納手段を備えていることを特徴とする請求項１〜４のいずれか一項記載の通信システム。
【発明の詳細な説明】
【技術分野】
【０００１】
本発明は、構内電話交換機に接続された固定電話機及び携帯電話機を備えた通信システムに関する。
【背景技術】
【０００２】
従来、携帯電話網に構内電話交換機（Private Branch eXchange：以下ＰＢＸと記す）と直収するサービスを実現する技術がある。例えば特許文献１では、携帯電話をＰＢＸの専用線側に接続し、外線発信を可能とする技術が開示されている。また、他の従来技術として、ＰＢＸに構内電話を接続すると共に、ＰＢＸに携帯電話を直収し、外部の携帯電話をＰＢＸのアナログポートに接続可能とした技術がある。
【先行技術文献】
【特許文献】
【０００３】
【特許文献１】特開２００６−３５２７３９号公報
【発明の概要】
【発明が解決しようとする課題】
【０００４】
しかしながら、上述した従来技術では、携帯電話から構内電話への発信の際には発番号が非通知となり、構内電話から携帯電話への発信の際にはＰＢＸに直収されている携帯電話機の番号が表示される。そのため、構内電話及び外部の携帯電話にそれぞれ内線番号が割り当てられていても、その番号を発信の際に相手方に通知できないという問題があった。また、発信操作の際、ＰＢＸに直収されている携帯電話の番号で接続してから相手先の内線番号を入力する必要があるため、１操作での発信ができないという問題もあった。
【０００５】
本発明は、上記課題の解決のためになされたものであり、内線番号の通知及び１操作での発信を可能とする通信システムを提供することを目的とする。
【課題を解決するための手段】
【０００６】
上記課題の解決のため、本発明に係る通信システムは、内線番号が割り当てられた携帯電話と、ＰＢＸに接続される構内電話とを、携帯電話網及びＰＢＸに接続された携帯直収ＧＷを介して接続する通信システムであって、携帯直収ＧＷは、電話番号がそれぞれ割り当てられた複数の無線モジュール群を備え、携帯電話網内の通信手段は、携帯電話から構内電話に向けて発信があった場合に、複数の無線モジュール群の中から空き回線を割り当てる回線割当手段と、携帯電話からの発信ＩＤを携帯電話の内線番号に変換すると共に、着信ＩＤを回線割当手段によって割り当てられた無線モジュールの電話番号に変換し、着信サブＩＤに構内電話の内線番号を格納する番号変換手段とを備えることを特徴としている。
【０００７】
この通信システムでは、携帯電話から構内電話に向けて発信があった場合に、携帯電話からの発信ＩＤを携帯電話の内線番号に変換すると共に、着信ＩＤを回線割当手段によって割り当てられた無線モジュールの電話番号に変換する。したがって、変換された番号を用いて携帯電話網内の通信手段が携帯直収ＧＷ側の無線モジュール群に発信を行うことで、着信した構内電話に携帯電話の内線番号を通知できる。また、この通信システムでは、番号変換の際、着信サブＩＤに構内電話の内線番号を格納するので、携帯直収ＧＷ側の無線モジュール群に接続した後の内線番号の入力が省かれ、１操作での発信が可能となる。
【０００８】
また、携帯直収ＧＷは、構内電話から携帯電話に向けて発信があった場合に、複数の無線モジュール群の中から空き回線を割り当てる回線割当手段と、構内電話からの発信ＩＤを回線割当手段によって割り当てられた無線モジュール群の電話番号に変換すると共に、発信サブＩＤに構内電話の内線番号を格納する番号変換手段とを備え、携帯電話網側の番号変換手段は、無線モジュール群からの発信ＩＤを構内電話の内線番号に変換すると共に、着信ＩＤを携帯電話の電話番号に変換することが好ましい。この場合、変換された番号を用いて携帯直収ＧＷ側の無線モジュール群が携帯電話網内の通信手段に発信を行うことで、着信した携帯電話に構内電話の内線番号を通知できる。
【０００９】
また、無線モジュール群は、携帯電話網に属する複数の携帯電話によって構成されていることが好ましい。この場合、無線モジュール群の空き状況を携帯電話網側で容易に把握できる。また、回線の増設等を簡単に実行できる。
【００１０】
また、携帯電話網内の通信手段は、構内電話が通話中であるか否かを示す回線情報を携帯直収ＧＷから受信して格納する回線情報格納手段を備えていることが好ましい。この場合、携帯電話網の通信手段から携帯直収ＧＷの無線モジュールへの無駄な発信が行われることを抑止できる。
【００１１】
また、携帯直収ＧＷは、携帯電話が通話中であるか否かを示す回線情報を携帯電話網内の通信手段から受信して格納する回線情報格納手段を備えていることが好ましい。この場合、携帯直収ＧＷの無線モジュールから携帯電話網の通信手段への無駄な発信が行われることを抑止できる。
【発明の効果】
【００１２】
本発明に係る通信システムによれば、内線番号の通知及び１操作での発信が可能となる。
【図面の簡単な説明】
【００１３】
【図１】本発明に係る通信システムの一実施形態を示す図である。
【図２】番号変換データベースに含まれる情報の一例を示す図である。
【図３】携帯電話から構内電話に発信を行う際の通信システムの動作を示すシーケンス図である。
【図４】図３の動作における番号変換の一例を示す図である。
【図５】構内電話から携帯電話に発信を行う際の通信システムの動作を示すシーケンス図である。
【図６】図５の動作における番号変換の一例を示す図である。
【発明を実施するための形態】
【００１４】
以下、図面を参照しながら、本発明に係る通信システムの好適な実施形態について詳細に説明する。
【００１５】
図１は、本発明に係る通信システムの一実施形態を示す図である。同図に示すように、通信システム１は、内線番号が割り当てられた携帯電話１０と、ＰＢＸ３０に接続される構内電話２０とが、携帯電話網４０及びＰＢＸ３０に接続された携帯直収ＧＷ５０を介して接続されることによって構成されている。以下、各構成要素について説明する。
【００１６】
携帯電話１０は、物理的には、ＣＰＵ（中央処理装置）、メモリといった記憶装置、プッシュボタンといった入力装置、ディスプレイといった表示装置等を有する移動機である。携帯電話１０は、通話機能に加え、ＷＥＢページに接続して閲覧する機能や電子メール送信機能等を含む各種データ通信機能等を有している。
【００１７】
携帯電話１０には、通常の電話番号のほか、構内電話２０との通話に用いる内線番号が割り当てられている。携帯電話１０は、発信を行う際、発信ＩＤに自端末の電話番号を格納すると共に、着信ＩＤに通話先である構内電話２０の内線番号を格納し、基地局を介して発信ＩＤ及び着信ＩＤを携帯電話網４０に向けて送信する。
【００１８】
構内電話２０は、物理的には、ＣＰＵ（中央処理装置）、メモリといった記憶装置、プッシュボタンといった入力装置、ディスプレイといった表示装置等を有する固定機である。構内電話２０には、携帯電話１０とは異なる内線番号が割り当てられている。構内電話２０は、発信を行う際、発信ＩＤに自端末の内線番号を格納すると共に、着信ＩＤに通話先である構内電話２０の内線番号を格納し、ＰＢＸ３０を介して発信ＩＤ及び着信ＩＤを携帯電話網４０に向けて送信する。ＰＢＸ３０は、構内電話２０を携帯電話網４０に接続する機器である。本実施形態では、ＰＢＸ３０に構内電話２０及び携帯直収ＧＷ５０が接続されている。
【００１９】
携帯電話網４０は、複数の基地局（不図示）を含み、携帯電話１０によるデータ通信を可能とするネットワークである。携帯電話網４０側の通信部４１には、交換機１０１のほか、機能的な構成要素として、番号変換データベース１０２と、認証部１０３と、回線状態確認部１０４と、回線割当部１０５と、番号変換部１０６とが設けられている。
【００２０】
番号変換データベース１０２は、携帯電話１０と構内電話２０とを接続する際の番号変換データを格納する部分である。図２は、番号変換データベース１０２に格納される情報の一例を示す図である。図２の例では、グループ番号ごとに、携帯直収ＧＷ５０に搭載されている無線モジュール群２０１の電話番号の一覧、無線モジュール群２０１が通話中か否かを示す回線情報、及び通話中の構内電話２０の内線番号が関連付けられている。
【００２１】
また、番号変換データベース１０２には、携帯直収ＧＷ５０によって直収される携帯電話１０の電話番号、内線番号、及び携帯電話１０が通話中か否かを示す回線情報が関連付けられている。番号変換データベース１０２内の各情報は、例えば携帯直収ＧＷ５０に設けられた番号変換データベース１０２（後述）との間での無線パケット通信によって常時更新される。
【００２２】
認証部１０３は、携帯電話１０から発信があった際に発信ＩＤを受信する部分である。認証部１０３は、受信した発信ＩＤに基づいて番号変換データベース１０２を参照し、番号変換グループ、すなわち、接続先となる携帯直収ＧＷ５０を特定する。認証部１０３は、特定した携帯直収ＧＷ５０を示す情報と、発信ＩＤ及び着信ＩＤとを含め、回線状態の確認の実行を要求する要求情報を回線状態確認部１０４に出力する。
【００２３】
回線状態確認部１０４は、番号変換データベース１０２に格納されている回線情報に基づいて、構内電話２０が通話中であるか否かの確認を行う部分である。回線状態確認部１０４は、認証部１０３から要求情報を受け取ると、着信ＩＤに基づいて接続先の構内電話２０を特定し、構内電話２０が通話中か否かを判断する。回線状態確認部１０４は、構内電話２０が通話中でないと判断した場合には、発信ＩＤ及び着信ＩＤと共に、空き回線の割り当てを要求する要求情報を回線割当部１０５に出力する。一方、回線状態確認部１０４は、構内電話２０が通話中であると判断した場合には、ＢＴ（busy tone）信号を携帯電話１０に送信する。
【００２４】
回線割当部１０５は、電話番号がそれぞれ割り当てられた複数の無線モジュール群２０１の中から空き回線の割り当てを行う部分である。回線割当部１０５は、回線状態確認部１０４から要求情報を受け取ると、番号変換データベース１０２を参照し、携帯直収ＧＷ５０の無線モジュール群２０１の中からどのモジュールが空き回線となっているかを判断する。回線割当部１０５は、回線割り当てを実行した後、発信ＩＤ及び着信ＩＤと共に、番号変換を要求する要求情報を番号変換部１０６に出力する。
【００２５】
番号変換部１０６は、発信ＩＤ及び着信ＩＤの番号変換を行う部分である。より具体的には、番号変換部１０６は、携帯電話１０から構内電話２０に向けて発信があった場合には、携帯電話１０からの発信ＩＤを携帯電話１０の内線番号に変換すると共に、着信ＩＤを回線割当部１０５によって割り当てられた無線モジュール群２０１の電話番号に変換する。また、番号変換部１０６は、着信サブＩＤに構内電話２０の内線番号を格納する。番号変換部１０６は、変換後の発信ＩＤ、着信ＩＤ、着信サブＩＤと共に、発信を要求する要求情報を交換機１０１に出力する。なお、番号変換部１０６は、着信ＩＤが構内電話２０ではなく、他の携帯電話である場合には、着信ＩＤに当該携帯電話の電話番号を格納し、回線割当部１０５によって割り当てられた無線モジュール群２０１の電話番号をキャンセルする。
【００２６】
また、番号変換部１０６は、構内電話２０から携帯電話１０に向けて発信があった場合には、無線モジュール群２０１からの発信ＩＤを、発信サブＩＤに格納されている構内電話２０の内線番号に変換すると共に、着信ＩＤを携帯電話１０の電話番号に変換する。番号変換部１０６は、変換後の発信ＩＤ、着信ＩＤ、着信サブＩＤと共に、発信を要求する要求情報を交換機１０１に出力する。
【００２７】
次に、携帯直収ＧＷ５０について説明する。携帯直収ＧＷ５０は、機能的な構成要素として、無線モジュール群２０１と、番号変換データベース２０２と、プロトコル変換部２０３と、回線状態確認部２０４と、回線割当部２０５と、番号変換部２０６とを備えている。
【００２８】
無線モジュール群２０１は、携帯電話網４０の交換機１０１との間で通信を行う部分である。無線モジュール群２０１は、例えば携帯電話網４０に属する複数の携帯電話によって構成されている。したがって、無線モジュール群２０１の回線情報は、携帯電話網４０を管理する通信事業者のサーバ（不図示）によって把握されており、この回線情報が番号変換データベース１０２，２０２にそれぞれ配信される。
【００２９】
番号変換データベース２０２は、携帯電話１０と構内電話２０とを接続する際の番号変換データを格納する部分である。番号変換データベース２０２に格納されている情報は、例えば携帯電話網４０側の番号変換データベース１０２と同一となっており、番号変換データベース１０２との間での無線パケット通信によって互いに情報を通知し合うことにより同期が取られている。
【００３０】
プロトコル変換部２０３は、携帯電話１０と構内電話２０との間でやり取りされる通信データのプロトコル変換を行う部分である。プロトコル変換部２０３は、携帯電話１０から構内電話２０に向けて送信される通信データを３ＧＰＰからＰＲＩ・ＢＲＩ等のＰＢＸ３０に接続可能なインターフェースに変換してＰＢＸ３０に送信する。また、プロトコル変換部２０３は、構内電話２０から携帯電話１０に向けて送信される通信データをＰＲＩから３ＧＰＰに変換して無線モジュール群２０１に送信する。このとき、プロトコル変換部２０３は、回線状態の確認を要求する要求情報を回線状態確認部２０４に送信する。
【００３１】
回線状態確認部２０４は、番号変換データベース２０２に格納されている回線情報に基づいて、携帯電話１０が通話中であるか否かの確認を行う部分である。回線状態確認部２０４は、プロトコル変換部２０３から要求情報を受け取ると、着信ＩＤに基づいて接続先の携帯電話１０を特定し、携帯電話１０が通話中か否かを判断する。回線状態確認部２０４は、携帯電話１０が通話中でないと判断した場合には、発信ＩＤ及び着信ＩＤと共に、空き回線の割り当てを要求する要求情報を回線割当部２０５に出力する。一方、回線状態確認部２０４は、携帯電話１０が通話中であると判断した場合には、ＢＴ（busy tone）信号を構内電話２０に送信する。
【００３２】
回線割当部２０５は、電話番号がそれぞれ割り当てられた複数の無線モジュール群２０１の中から空き回線の割り当てを行う部分である。回線割当部２０５は、回線状態確認部２０４から要求情報を受け取ると、番号変換データベース２０２を参照し、携帯直収ＧＷ５０の無線モジュール群２０１の中からどのモジュールが空き回線となっているかを判断する。回線割当部２０５は、回線割り当てを実行した後、発信ＩＤ及び着信ＩＤと共に、番号変換を要求する要求情報を番号変換部２０６に出力する。
【００３３】
番号変換部２０６は、発信ＩＤ及び着信ＩＤの番号変換を行う部分である。より具体的には、番号変換部２０６は、携帯電話１０から構内電話２０に向けて発信があった場合には、着信サブＩＤに格納されている構内電話２０の内線番号を着信ＩＤに変換する。また、番号変換部２０６は、構内電話２０から携帯電話１０に向けて発信があった場合には、発信ＩＤを回線割当部２０５によって割り当てられた無線モジュール群２０１の電話番号に変換すると共に、発信サブＩＤに構内電話２０の内線番号を格納する。そして、番号変換部２０６は、変換後の発信ＩＤ、着信ＩＤ、着信サブＩＤと共に、発信を要求する要求情報を無線モジュール群２０１に出力する。
【００３４】
続いて、上述した通信システム１の動作について説明する。
【００３５】
図３は、携帯電話１０から構内電話２０に発信を行う際の通信システム１の動作を示すシーケンス図である。ユーザの所定の操作によって携帯電話１０から構内電話２０への発信がなされると、携帯電話１０から携帯電話網４０の認証部１０３に発信ＩＤ及び着信ＩＤが送信される（ステップＳ０１）。このとき、例えば図４（ａ）に示すように、発信ＩＤには携帯電話１０の電話番号「０９０−１１１１−２２２２」が格納されており、着信ＩＤには構内電話２０の内線番号「７７７７」が格納されている。
【００３６】
発信ＩＤ及び着信ＩＤが送信されると、認証部１０３では、番号変換グループの特定処理が行われ、接続先となる携帯直収ＧＷ５０が特定される（ステップＳ０２）。次に、認証部１０３から回線状態確認部１０４に回線状態の確認要求がなされ（ステップＳ０３）、回線状態確認部１０４において構内電話２０が通話中であるか否かの確認処理がなされる（ステップＳ０４）。構内電話２０が通話中である場合には、携帯電話１０にＢＴ信号が送信される。
【００３７】
構内電話２０が通話中でない場合、回線状態確認部１０４から回線割当部１０５に空き回線の割り当て要求がなされ（ステップＳ０５）、回線割当部１０５において携帯直収ＧＷ５０の無線モジュール群２０１の中から空き回線の割り当て処理が実行される（ステップＳ０６）。次に、回線割当部１０５から番号変換部１０６に番号変換要求がなされ（ステップＳ０７）、番号変換部１０６において番号変換処理が行われる（ステップＳ０８）。
【００３８】
この番号変換処理では、例えば図４（ｂ）に示すように、携帯電話１０からの発信ＩＤ「０９０−１１１１−２２２２」が携帯電話１０の内線番号「５５５５」に変換され、着信ＩＤ「７７７７」が回線割当部１０５によって割り当てられた無線モジュール群２０１の電話番号「０９０−９０００−０００１」に変換される。また、構内電話２０の内線番号「７７７７」が着信サブＩＤに格納される。
【００３９】
番号変換の後、番号変換部１０６から交換機１０１に発信要求がなされ（ステップＳ０９）、変換された番号によって交換機１０１から携帯直収ＧＷ５０に発信が行われる（ステップＳ１０）。交換機１０１からの発信を受けた携帯直収ＧＷ５０では、無線モジュール群２０１から番号変換部２０６に番号変換要求がなされ（ステップＳ１１）、番号変換部２０６において番号変換処理が行われる（ステップＳ１２）。
【００４０】
この番号変換処理では、例えば図４（ｃ）に示すように、着信ＩＤ「０９０−９０００−０００１」が、着信サブＩＤに格納されていた構内電話２０の内線番号「７７７７」に変換される。番号変換の後、番号変換部１０６からプロトコル変換部２０３に発信ＩＤ及び着信ＩＤが送信され（ステップＳ１３）、プロトコル変換部２０３において３ＧＰＰからＰＲＩへのプロトコル変換処理が行われる（ステップＳ１４）。
【００４１】
プロトコル変換後、発信ＩＤ及び着信ＩＤがプロトコル変換部２０３からＰＢＸ３０に送信され（ステップＳ１５）、ＰＢＸ３０から構内電話２０に送信される（ステップＳ１６）。これにより、構内電話２０が着信し、構内電話２０において携帯電話１０の内線番号の表示がなされる（ステップＳ１７）。
【００４２】
図５は、構内電話から携帯電話に発信を行う際の通信システムの動作を示すシーケンス図である。ユーザの所定の操作によって構内電話２０から構内電話２０への発信がなされると、構内電話２０からＰＢＸ３０に発信ＩＤ及び着信ＩＤが送信される（ステップＳ２１）。このとき、例えば図６（ａ）に示すように、発信ＩＤには構内電話２０の電話番号「７７７７」が格納されており、着信ＩＤには携帯電話１０の内線番号「５５５５」が格納されている。
【００４３】
次に、ＰＢＸ３０から携帯直収ＧＷ５０のプロトコル変換部２０３に発信ＩＤ及び着信ＩＤが送信される（ステップＳ２２）。プロトコル変換部２０３では、ＰＲＩから３ＧＰＰへのプロトコル変換処理が行われる（ステップＳ２３）。プロトコル変換後、プロトコル変換部２０３から回線状態確認部２０４に回線状態の確認要求がなされ（ステップＳ２４）、回線状態確認部２０４において携帯電話１０が通話中であるか否かの確認処理がなされる（ステップＳ２５）。携帯電話１０が通話中である場合には、構内電話２０にＢＴ信号が送信される。
【００４４】
携帯電話１０が通話中でない場合、回線状態確認部２０４から回線割当部２０５に空き回線の割り当て要求がなされ（ステップＳ２６）、回線割当部２０５において携帯直収ＧＷ５０の無線モジュール群２０１の中から空き回線の割り当て処理が実行される（ステップＳ２７）。次に、回線割当部２０５から番号変換部２０６に番号変換要求がなされ（ステップＳ２８）、番号変換部２０６において番号変換処理が行われる（ステップＳ２９）。
【００４５】
この番号変換処理では、例えば図６（ｂ）に示すように、構内電話２０からの発信ＩＤ「７７７７」が、回線割当部１０５によって割り当てられた無線モジュール群２０１の電話番号「０９０−９０００−０００１」に変換され、発信サブＩＤに構内電話２０の内線番号「７７７７」が格納される。
【００４６】
番号変換の後、番号変換部２０６から無線モジュール群２０１に発信要求がなされ（ステップＳ３０）、変換された番号によって無線モジュール群２０１から携帯電話網４０の交換機１０１に発信が行われる（ステップＳ３１）。無線モジュール群２０１からの発信を受けた携帯電話網４０では、交換機１０１から番号変換部１０６に番号変換要求がなされ（ステップＳ３２）、番号変換部１０６において番号変換処理が行われる（ステップＳ３３）。
【００４７】
この番号変換処理では、例えば図６（ｃ）に示すように、無線モジュール群２０１からの発信ＩＤ「０９０−９０００−０００１」が構内電話２０の内線番号「７７７７」に変換されると共に、着信ＩＤ「５５５５」が発信サブＩＤに格納されていた携帯電話１０の電話番号「０９０−１１１１−２２２２」に変換される。
【００４８】
番号変換の後、番号変換部１０６から交換機１０１に発信ＩＤ及び着信ＩＤが送信され（ステップＳ３４）、交換機１０１から携帯電話１０に送信される（ステップＳ３５）。これにより、携帯電話１０が着信し、携帯電話１０において構内電話２０の内線番号の表示がなされる（ステップＳ３６）。
【００４９】
以上説明したように、通信システム１では、携帯電話１０から構内電話２０に向けて発信があった場合に、携帯電話１０からの発信ＩＤを携帯電話１０の内線番号に変換すると共に、着信ＩＤを回線割当部１０５によって割り当てられた無線モジュール群２０１の電話番号に変換する。したがって、変換された番号を用いて携帯電話網４０内の通信部４１が携帯直収ＧＷ５０側の無線モジュール群２０１に発信を行うことで、着信した構内電話２０に携帯電話１０の内線番号を通知できる。また、この通信システム１では、番号変換の際、着信サブＩＤに構内電話２０の内線番号を格納するので、携帯直収ＧＷ５０側の無線モジュール群２０１に接続した後の内線番号の入力が省かれ、１操作での発信が可能となる。
【００５０】
また、通信システム１では、構内電話２０から携帯電話１０に向けて発信があった場合に、構内電話２０からの発信ＩＤを回線割当部２０５によって割り当てられた無線モジュール群２０１の電話番号に変換すると共に、発信サブＩＤに構内電話２０の内線番号を格納している。これにより、携帯電話網４０側の番号変換部１０６において、無線モジュール群２０１からの発信ＩＤを構内電話２０の内線番号に変換すると共に、着信ＩＤを携帯電話１０の電話番号に変換することにより、着信した携帯電話１０に構内電話２０の内線番号を通知できる。
【００５１】
また、通信システム１では、携帯直収ＧＷ５０の無線モジュール群２０１が、携帯電話網４０に属する複数の携帯電話１０によって構成されている。これにより、無線モジュール群２０１の空き状況を携帯電話網４０側で容易に把握できる。また、回線の増設等を簡単に実行できる。
【００５２】
さらに、通信システム１では、構内電話２０が通話中であるか否かを示す回線情報、及び携帯電話１０が通話中であるか否かを示す回線情報を番号変換データベース１０２，２０２内にそれぞれ格納し、これらの情報を無線パケット通信にて常時更新している。そして、携帯電話１０或いは構内電話２０から発信がなされたときに接続先が通話中だった場合には、携帯電話網４０と携帯直収ＧＷ５０との間の通信を行わずにＢＴ信号を返信する。これにより、携帯電話網４０と携帯直収ＧＷ５０との間で無駄な発信が行われることを抑止でき、無線帯域及び電力コストを削減することが可能となる。
【符号の説明】
【００５３】
１…通信システム、１０…携帯電話、２０…構内電話、３０…ＰＢＸ、４０…携帯電話網、４１…通信部、５０…携帯直収ＧＷ、１０２…番号変換データベース、１０４…回線状態確認部、１０５…回線割当部、１０６…番号変換部、２０１…無線モジュール群、２０２…番号変換データベース、２０４…回線状態確認部、２０５…回線割当部、２０６…番号変換部。
【図１】
2010278769.tif 000003
【図２】
2010278769.tif 000004
【図３】
2010278769.tif 000005
【図４】
2010278769.tif 000006
【図５】
2010278769.tif 000007
【図６】
2010278769.tif 000008